(57)【要約】【課題】本発明は、スピーカ装置から出力される音の音圧が損なわれることを抑制しつつ、スピーカ装置の軸に直交する方向の大型化の抑制を図ったヘッドホン装置を提供することを目的としている。【解決手段】ヘッドホン装置１は、第１スピーカ装置２０Ａと、該第１スピーカ装置の音出力方向反対側に、同軸に配置される第２スピーカ装置２０Ｂと、を有し、第１スピーカ装置の外径と第２スピーカ装置の外径とが略等しいヘッドホン装置である。第２スピーカ装置が出力する音を、第１スピーカ装置の音出力方向側の使用者に導く音導部を有し、音導部には、第２スピーカ装置が出力する音を、第１スピーカの外径の内側から外側方向へと導く第１音導部Ｌ１が設けられている。【選択図】図２
2015109581.tif 000002
【特許請求の範囲】
【請求項１】
第１スピーカ装置と、該第１スピーカ装置の音出力方向反対側に、同軸に配置される第２スピーカ装置と、を有し、
前記第１スピーカ装置の外径と前記第２スピーカ装置の外径とが略等しく、
前記第２スピーカ装置が出力する音を、前記第１スピーカ装置の前記音出力方向側の使用者に導く音導部を有し、
前記音導部には、前記第２スピーカ装置が出力する音を、前記第１スピーカの前記外径の内側から外側方向へと導く第１音導部が設けられていることを特徴とするヘッドホン装置。
【請求項２】
前記第１音導部は、前記第２スピーカ装置が出力する音を略動径方向に導くことを特徴とする請求項１記載のヘッドホン装置。
【請求項３】
前記第１音導部は、前記第２スピーカ装置が出力する音を、前記軸を中心とした略動径方向に導くことを特徴とする請求項２記載のヘッドホン装置。
【請求項４】
前記第１音導部は、少なくてもその一部が、前記第１スピーカ装置と前記第２スピーカ装置との間に設けられていることを特徴とする請求項１記載のヘッドホン装置。
【請求項５】
前記第１スピーカ装置及び前記第２スピーカ装置を収容するハウジングを有し、
前記第１音導部が、前記ハウジングに形成されていることを特徴とする請求項１乃至請求項４のうちいずれか一項記載のヘッドホン装置。
【請求項６】
前記ハウジングには、前記第１音導部を通過した音を、前記軸と略平行な方向に導く第２音導部が形成されていることを特徴とする請求項５記載のヘッドホン装置。
【請求項７】
前記ハウジングが、前記第１スピーカ装置を収容する第１ハウジングと、前記第２スピーカ装置を収容する第２ハウジングと、を備え、
前記第２音導部が、前記第１ハウジング及び前記第２ハウジングにより形成されることを特徴とする請求項６記載のヘッドホン装置。
【請求項８】
前記第１音導部が、前記第２ハウジングと前記第１スピーカ装置との間に形成されていることを特徴とする請求項７記載のヘッドホン装置。
【請求項９】
前記第１音導部が、前記第２ハウジングに形成されていることを特徴とする請求項７記載のヘッドホン装置。
【請求項１０】
前記第１音導部が、前記第１ハウジング及び前記第２ハウジングにより形成されることを特徴とする請求項７記載のヘッドホン装置。
【請求項１１】
前記第２スピーカ装置が、フレームと、該フレームに支持されて、音声電流によって振動するボイスコイルの振動が伝播される振動板と、を備え、
前記振動板は、その平面視が、円環状となるように形成され、
前記第１音導部が、前記振動板の略動径方向に沿って延在形成され、
前記第１音導部の径方向内側の内端が、前記振動板の外縁よりも内側に位置するように形成され、
前記第１音導部の径方向外側の外端が、前記振動板の外縁よりも外側に位置するように形成されていることを特徴とする請求項１乃至請求項９のうちいずれか一項記載のヘッドホン装置。
【請求項１２】
前記第１スピーカ装置の前記音出力方向反対側の背面が、前記軸を中心として前記第２スピーカ装置側に突出した軸周り部と、該軸周り部の外周の前記第２スピーカ装置側に突出してない円環状部分と、からなり、
前記第１音導部が、前記軸周り部を中心とした略動径方向に沿って延在形成されていることを特徴とする請求項１乃至請求項１１のうちいずれか一項記載のヘッドホン装置。
【請求項１３】
前記第１音導部が、前記第２スピーカ装置が出力する音を、前記軸に対して直交する方向に導いていることを特徴とする請求項１乃至請求項１２のうちいずれか一項記載のヘッドホン装置。
【請求項１４】
前記第１スピーカ装置が、高音用のスピーカ装置であり、
前記第２スピーカ装置が、低音用のスピーカ装置であり、
前記第１音導部における音進行方向に垂直な方向の断面積が、前記第１音導部を通過した音を、前記軸と略平行な方向に導く第２音導部における前記音進行方向に垂直な方向の断面積よりも小さいことを特徴とする請求項１乃至請求項１３のうちいずれか一項記載のヘッドホン装置。
【請求項１５】
前記音導部が、前記第２スピーカ装置から出力される音の少なくとも一部を、前記第１音導部に導く第３音導部をさらに備えることを特徴とする請求項１乃至請求項１４のうちいずれか一項記載のヘッドホン装置。
【請求項１６】
前記第１スピーカ装置が、高音用のスピーカ装置であり、
前記第２スピーカ装置が、低音用のスピーカ装置であり、
前記音導部が、前記第２スピーカ装置から出力される音の少なくとも一部を、前記第１音導部に導く第３音導部をさらに備え、
前記第１音導部における音進行方向に垂直な方向の断面積が、前記第３音導部における前記音進行方向に垂直な方向の断面積よりも大きいことを特徴とする請求項１乃至請求項１５のうちいずれか一項記載のヘッドホン装置。
【請求項１７】
前記音導部が、複数設けられていることを特徴とする請求項１乃至請求項１６のうちいずれか一項記載のヘッドホン装置。
【発明の詳細な説明】
【技術分野】
【０００１】
本発明は、第１スピーカ装置と、該第１スピーカ装置の音出力方向反対側に、同軸に配置される第２スピーカ装置と、を有し、第１スピーカ装置の外径と第２スピーカ装置の外径とが略等しいヘッドホン装置に関するものである。
【背景技術】
【０００２】
特許文献１には、高音用スピーカユニットと、この高音用スピーカユニットの音出力方向反対側（背面側）に配置される低音用スピーカユニットと、これらの両スピーカユニットの間に設けられてこれらを支持するハウジングと、を備えたヘッドホンが開示されている。特許文献１に記載された従来のヘッドホンにおいては、高音用スピーカユニットと低音用スピーカユニットとが同軸に配置されているとともに、高音用スピーカユニットの口径（外径）が、低音用スピーカユニットの口径（外径）よりも小さくなるように形成されている。ハウジングには、低音用スピーカユニットから出力される音を、高音用スピーカユニットの音出力方向である、高音用スピーカユニットの前方側の使用者に導く複数の音導部が設けられている。複数の音導部は、ハウジングにおいて、低音用スピーカユニットの振動板に対向する部分に、振動板の周方向に間隔をあけて設けられている。各音導部は、軸と略平行な直線状に、ハウジングに貫通形成されている。このような従来のヘッドホンは、低音用スピーカユニットから出力される音を、各音導部が、高音用スピーカユニットの前方側の使用者に導いている。
【０００３】
ところで、従来のヘッドホンにおいては、高音用スピーカユニットの外径が、低音用スピーカユニットの外径よりも小さいものが用いられているから、高音用スピーカユニットが出力する音、即ち高音の音圧が、低音用スピーカユニットが出力する音、即ち低音の音圧に対して小さくなり易い。このため、高音用スピーカユニットの外径を大きくすることで、高音用スピーカユニットの音圧を上げることが考えられる。
【０００４】
しかしながら、高音用スピーカユニットの外径を大きくすることで、例えば、高音用スピーカユニットの外径を、低音用スピーカユニットの外径と略同径となるようにした場合には、高音用スピーカユニットに遮られ、低音用スピーカユニットの振動板に対向する部分に、軸と略平行な直線状の音導部を設けることができなくなってしまう。
【０００５】
上述した問題を解決したヘッドホンが特許文献２に開示されている。特許文献２には、高音用の第１スピーカユニットと低音用の第２スピーカユニットとが非同軸に配置された従来のヘッドホンが開示されている。特許文献２に記載された従来のヘッドホンのように、高音用の第１スピーカユニットと低音用の第２スピーカユニットとが非同軸に配置された場合には、音導部を、高音用の第１スピーカユニットを避けて、低音用スピーカユニットの振動板に対向する部分に設けることが考えられる。
【０００６】
しかしながら、高音用の第１スピーカユニットと低音用の第２スピーカユニットとが非同軸に配置された場合には、ヘッドホン装置が、スピーカユニットの軸に直交する方向に大型化してしまう問題があった。即ち、スピーカユニットの軸に直交する方向の大型化の抑制を図ることと、音導部を設けることの両立を図ることは困難であった。
【先行技術文献】
【特許文献】
【０００７】
【特許文献１】特開昭６２−２７６９９６号公報
【特許文献２】特開平２−４４８９７号公報
【発明の概要】
【発明が解決しようとする課題】
【０００８】
本発明は、このような問題点に対処することを課題の一例とするものである。即ち、スピーカ装置から出力される音の音圧が損なわれることを抑制しつつ、スピーカ装置の軸に直交する方向の大型化の抑制を図ったヘッドホン装置を提供することを目的としている。
【課題を解決するための手段】
【０００９】
上記課題を解決するために、請求項１に記載のヘッドホン装置は、第１スピーカ装置と、該第１スピーカ装置の音出力方向反対側に、同軸に配置される第２スピーカ装置と、を有し、前記第１スピーカ装置の外径と前記第２スピーカ装置の外径とが略等しく、前記第２スピーカ装置が出力する音を、前記第１スピーカ装置の前記音出力方向側の使用者に導く音導部を有し、前記音導部には、前記第２スピーカ装置が出力する音を、前記第１スピーカの前記外径の内側から外側方向へと導く第１音導部が設けられていることを特徴としている。
【図面の簡単な説明】
【００１０】
【図１】本発明の一実施例にかかるヘッドホン装置の全体構成を示す斜視図である。
【図２】図１に示されたヘッドホン装置を構成する一対の耳当部の内部構成を示す分解斜視図である。
【図３】図１中のＩ−Ｉ線に沿う断面図である。
【図４】図２に示された耳当部を構成する第２ハウジングを背面から見た斜視図である。
【図５】図２に示された耳当部を組み立てる様子を示す図であり、第２ハウジングに第１ハウジングが組み付けられた状態を示す斜視図である。
【図６】図１に示されたヘッドホン装置の作用を説明するための説明図である。
【図７】本発明の他の実施例にかかるヘッドホン装置を示す断面図である。
【図８】本発明の他の実施例にかかるヘッドホン装置を示す断面図である。
【発明を実施するための形態】
【００１１】
以下、本発明の一実施形態にかかるヘッドホン装置について説明する。本発明の一実施形態にかかるヘッドホン装置は、第１スピーカ装置と、該第１スピーカ装置の音出力方向反対側に、同軸に配置される第２スピーカ装置と、を有し、第１スピーカ装置の外径と第２スピーカ装置の外径とが略等しく、第２スピーカ装置が出力する音を、第１スピーカ装置の音出力方向側の使用者に導く音導部を有し、音導部には、第２スピーカ装置が出力する音を、第１スピーカの外径の内側から外側方向へと導く第１音導部が設けられている。第１音導部はその一部が、第１スピーカ装置と第２スピーカ装置との間に設けられている。即ち、本願発明には、従来技術のように、これらのスピーカ装置のうち、一方の外径寸法を他方の外径寸法より大きくなるように構成することや、これらのスピーカ装置を非同軸に配置することなく、第２スピーカ装置から出力される音を、第１スピーカの外径の内側から外側方向へと導く第１音導部が設けられている。従って、第２スピーカ装置により出力される音が、第１音導部を介して、遮られることなくヘッドホン装置の使用者に導かれることとなり、第２スピーカ装置から出力される音の音圧が損なわれることを抑制しつつ、スピーカ装置の径方向の大型化の抑制を図ることができる。なお、第１音導部は、第２スピーカ装置の軸を中心とした動径方向に厳密に一致していなくてよい。第１音導部は、第２スピーカ装置が出力する音の一部を第１スピーカの外径の内側から外側方向へと導くような音導部、もしくは略動径方向に導くような音導部であればよい。以下に記載する本実施例以外の実施例における第１音導部についても同様である。
【００１２】
また、第１スピーカ装置及び第２スピーカ装置を収容するハウジングを有することとし、第１音導部を当該ハウジングに形成することもできる。即ち、第１音導部は、ハウジングに、第２スピーカ装置の軸を中心とした動径方向に形成された、開口部である。このような開口部である第１音導部をハウジングに形成することができる。
【００１３】
また、ハウジングに、第１音導部を通過した音を軸と略平行な方向に導く第２音導部を形成することもできる。即ち、本形態において、第２音導部は、ハウジングに、軸方向と略平行な方向に形成された開口部である。このような開口部である第２音導部をハウジングに形成することができる。これにより、第２スピーカ装置から出力された音が、第１音導部によって、軸を中心とした動径方向に導かれた後、第２音導部によって、軸と略平行な方向に導かれることとなる。また、第２音導部の形成位置を調整することで、第２音導部からの音を所望の位置に誘導（出力）することができる。
【００１４】
また、ハウジングが、第１スピーカ装置を収容する第１ハウジングと、第２スピーカ装置を収容する第２ハウジングと、を備え、第２音導部を、第１ハウジング及び第２ハウジングに形成することもできる。即ち、本形態において、第１ハウジング及び第２ハウジングにより、第２音導部を形成することができる。
【００１５】
また、第１音導部を、第２ハウジングと第１スピーカ装置との間に形成することもできる。
【００１６】
また、第１音導部を、第２ハウジングに形成することもできる。即ち、第１音導部は、第２ハウジングに、第２スピーカ装置の軸を中心とした動径方向に形成された開口部である。このような開口部である第１音導部を第２ハウジングに形成することができる。
【００１７】
また、第１音導部を、第１ハウジング及び第２ハウジングにより形成することもできる。即ち、第１ハウジング及び第２ハウジングにより、第１音導部を形成することができる。
【００１８】
また、第２スピーカ装置が、フレームと、該フレームに支持されて、音声電流によって振動するボイスコイルの振動が伝播される振動板と、を備え、振動板は、その平面視が、円環状となるように形成され、第１音導部が、振動板の径方向に沿って延在形成され、第１音導部の径方向内側の内端を、振動板の外縁よりも内側に位置するように形成し、第１音導部の径方向外側の外端を、振動板の外縁よりも外側に位置するように形成することもできる。これにより、ヘッドホン装置の軸と略平行な方向に大型化することなく、第１音導部（音導部）を形成することができる。即ち、ヘッドホン装置が、軸と略平行な方向に大型化することを抑制することができる。
【００１９】
また、第１スピーカ装置の音出力方向反対側の背面を、軸を中心として第２スピーカ装置側に突出した軸周り部と、該軸周り部の外周の第２スピーカ装置側に突出してない円環状部分と、から構成し、第１音導部が、軸周り部を中心とした動径方向に沿って延在形成されることもできる。これにより、ヘッドホン装置を軸と略平行な方向に大型化させることなく、第１音導部の形成位置を確保することができる。
【００２０】
また、第１音導部が、第２スピーカ装置が出力する音を、軸に対して直交する方向に導くこともできる。これにより、ヘッドホン装置の軸と略平行な方向に大型化することなく、第１音導部（音導部）を形成することができる。即ち、ヘッドホン装置の軸と略平行な方向に大型化することを抑制することができる。
【００２１】
また、第１スピーカ装置が、高音用のスピーカ装置であり、第２スピーカ装置が、低音用のスピーカ装置であるとともに、第１音導部における音進行方向に垂直な方向の断面積を、第２音導部における音進行方向に垂直な方向の断面積よりも小さくなるように形成することもできる。即ち、第２スピーカ装置から出力される音が、第１音導部から第２音導部に導かれることで、第２スピーカ装置から出力される音が、断面積が小さい所から大きい所に導かれることとなり、ホーン効果により、低域の音（低音）を豊かに響かせることができる。
【００２２】
また、音導部が、第２スピーカ装置の第１音導部よりも軸部側から出力される音を、第１音導部に導く第３音導部をさらに備え、第１音導部における音進行方向に垂直な方向の断面積を、第２音導部における音進行方向に垂直な方向の断面積よりも小さくなるように形成することもできる。即ち、第２スピーカ装置から出力される音が、第３音導部から第１音導部に導かれることで、第２スピーカ装置から出力される音が、断面積が小さい所から大きい所に導かれることとなり、ホーン効果により、低域の音（低音）を、より一層、豊かに響かせることができる。
【００２３】
また、音導部を、複数設けることもできる。これにより、第２スピーカ装置が出力する音を、より一層確実に音導することができる。
【実施例】
【００２４】
以下、本発明のヘッドホン装置の一実施例を図１乃至図６に基づいて説明する。図１に示すように、ヘッドホン１（ヘッドホン装置）は、左右一対の耳当部２（２Ａ、２Ｂ）を備えている。左右の耳当部２Ａ、２Ｂは、一般的にヘッドバンド部３によって連結されている。ヘッドバンド部３は、必ずしも必須の構成要素では無いが、耳当部２Ａ、２Ｂをユーザ（使用者）の耳に押し当てる側圧を付与する機能と、耳当部２Ａ、２Ｂをユーザの頭部に指示する機能と、を有する。図示の例では、ヘッドバンド部３は、ヘッドバンド３Ａ、保持バンド３Ｂ、スタビライザ３Ｃを備えている。
【００２５】
左右の耳当部２Ａ、２Ｂは、ハウジング１０（１０Ａ、１０Ｂ）を備えている。左右のハウジング１０Ａ、１０Ｂは、連結アーム４（４Ａ、４Ｂ）を介してヘッドバンド部３の端部３Ｄに連結されている。ハウジング１０の一方（図示では右側のハウジング１０Ｂ）からは信号入力ケーブル５が引き出されている。ヘッドバンド３Ａは、信号入力ケーブル５の信号線を、他方側のハウジング１０Ａ内に引き込むためのケーブルを備えている。ハウジング１０Ａ、１０Ｂには、各ハウジング１０Ａ、１０Ｂとユーザの耳との間に密閉空間を形成するためのイヤパッド６が装着されている。
【００２６】
また、ハウジング１０Ａ、１０Ｂには、ハウジング１０における耳対向側とは逆側にハウジング１０Ａ、１０Ｂの一面を覆うようにキャップ７が設けられている。キャップ７は、キャップベース８を介して設けられている。キャップ７は、左右のハウジング１０Ａ、１０Ｂの一方に設けてもよいし、両方に設けてもよい。
【００２７】
図２、図３に示すように、耳当部２におけるハウジング１０には、音波を発生する２以上のスピーカ２０（第１、第２スピーカ装置）が収容されている。図示の例では、２つのスピーカ２０（２０Ａ、２０Ｂ）が、ハウジング１０に収容されている。ハウジング１０は、例えば、スピーカ２０Ａを収容する第１ハウジング３０と、スピーカ２０Ｂを収納する第２ハウジング４０と、第３ハウジング５０と、を備えており、第１ハウジング３０、第２ハウジング４０、第３ハウジング５０の順番で、ユーザから離れる方向に、同軸に配置されている。即ち、スピーカ２０Ａが、第１ハウジング３０と第２ハウジング４０との間に支持され、スピーカ２０Ｂが、第２ハウジング４０と第３ハウジング５０との間に支持されている。２つのスピーカ２０Ａ、２０Ｂは、例えば、一方のスピーカ２０Ａが高音用（ツイータ）として、他方のスピーカ２０Ｂが低音用（ウーファ）として機能するように、互いに異なる音響特性（例えば、音圧周波数特性）を有するものである。以下では、２つのスピーカ２０Ａ、２０Ｂのうち、一方の高音用スピーカを、高音用スピーカ２０Ａ（第１スピーカ装置）と記し、他方の低音用スピーカ２０Ｂを、低音用スピーカ２０Ｂ（第２スピーカ装置）と記す。高音用スピーカ２０Ａは、低音用スピーカ２０Ｂよりもユーザに近い位置に配置されている。即ち、低音用スピーカ２０Ｂは、高音用スピーカ２０Ａの音出力方向反対側に設けられている。
【００２８】
次に、スピーカ２０Ａ、２０Ｂの構成について説明する。なお、これらのスピーカ２０Ａ、２０Ｂは、それぞれ音響特性が異なり、かつ、それに応じた構成を有しているものの、外形上は近似した構成であるため、一方の説明を以て、他方の説明を省略する。各スピーカ２０Ａ、２０Ｂは、それぞれ、開口部が略円形のフレーム２１を有し、各フレーム２１の外径寸法は、略等しいものが用いられている。また、これらの２つのスピーカ２０Ａ、２０Ｂは、開口部が同じ方向を向く格好で、同軸に配置されている。さらに、各スピーカ２０Ａ、２０Ｂは、それぞれの振動板２２の外径寸法が、略等しいものが用いられている。ここで、請求項中の「前記第１スピーカ装置の外径と前記第２スピーカ装置の外径とが略等しい」とは、また、各スピーカ２０Ａ、２０Ｂは、それぞれ、開口部が略円形のフレーム２１を有し、各フレーム２１の外径寸法が略等しいものであることを意味する。なお、本実施例において、各スピーカ２０Ａ、２０Ｂは、各振動板２２の外径寸法も略等しいものである。
【００２９】
ここで、図３中の一点鎖線Ｐは、スピーカ２０Ａ、２０Ｂの軸方向を示している。この一点鎖線Ｐのうち、図３中の紙面方向の上方を「後方」と記し、図３中の紙面方向の下方を「前方」と記す場合がある。
【００３０】
各スピーカ２０Ａ、２０Ｂは、それぞれ、図３に示すように、フレーム２１と、フレーム２１に支持される磁気回路部（図示しない）と、磁気回路部内に配置されて音声電流が供給されると振動するボイスコイル（図示しない）を有し、このボイスコイルの振動を伝播させる振動板２２と、を備えている。この振動板２２は、軸を中心とした略円環状に形成されている。
【００３１】
フレーム２１は、図３に示すように、軸を中心とした錐台状に形成されて内部に磁気回路部のヨーク２３を支持する支持壁２４（軸周り部）と、支持壁２４の前端に連続される円環状の基壁２５と、基壁２５の周縁から前方に向かって立設されて、振動板２２の外縁部を固着させるフランジ２６と、を備えて構成されている。支持壁２４は、前方に向かうに従って徐々に径寸法が大きくなるように配置されている。基壁２５は、軸に対して直交する方向に延在形成されている。即ち、フレーム２１は、後方側の面（背面）に、軸を中心として低音用スピーカ２０Ｂ側（後方側）に突出した支持壁２４（軸周り部）と、この軸周り部の外周の、低音用スピーカ２０Ｂ側に突出していない基壁２５（円環状部分）と、を備えている。
【００３２】
各スピーカ２０Ａ、２０Ｂは、それぞれ、ヨーク２３に、ボイスコイルと協働して振動板２２を駆動するための磁力を発生する磁気ギャップを形成する。換言すると、各スピーカ２０Ａ、２０Ｂは、磁気ギャップ内にて、ボイスコイルに電磁気力（ローレンツ力）を作用させる。そして、振動板２２を振動させ、音波を発生させる。こうして、振動板２２から音（音波）が出力される。
【００３３】
第１ハウジング３０は、図２に示すように、高音用スピーカ２０Ａを収容する高音用スピーカ収容部３１と、この高音用スピーカ収容部３１を第２ハウジング４０に組み付けるための円柱状の組付け突起３２と、を備えて構成されている。高音用スピーカ収容部３１は、軸を中心とした円板状に形成されているとともに、スピーカ２０Ａ、２０Ｂの各フレーム２１の外径寸法と略同径の板状部３３と、板状部３３の周縁に連続されるとともに円筒状の筒状部３４と、筒状部３４の周縁から軸に対して直交する方向に延在形成された第１延在部３５と、を備えて受け皿状に構成されている。このような高音用スピーカ収容部３１には、高音用スピーカ２０Ａの振動板２２が、板状部３３と前後に対向する格好で収容される。
【００３４】
板状部３３には、高音用スピーカ２０Ａにより出力された音を前方に導出する複数の第１貫通孔３０ａが形成されている。複数の第１貫通孔３０ａは、板状部３３の外周部に、周方向に等間隔をあけて設けられている。各第１貫通孔３０ａは、板状部３３を前後方向に貫通して形成されている。高音用スピーカ収容部３１に高音用スピーカ２０Ａが収容されると、複数の第１貫通孔３０ａは、振動板２２と対向する位置に設けられている。さらに、板状部３３には、イヤパッド６と第１貫通孔３０ａとの間に介在することで、イヤパッド６により、第１貫通孔３０ａの一部が塞がれることを防止するための４つの介在部３６が設けられている。４つの介在部３６は、板状部３３の外周部から前方に突出して設けられているとともに、板状部３３の周方向に等間隔をあけて設けられている。各介在部３６は、それぞれ、第１貫通孔３０ａを板状部３３の周方向に挟む一対の突出部から構成されている。
【００３５】
さらに、高音用スピーカ収容部３１には、低音用スピーカ２０Ｂから出力された音を、第１ハウジング３０の外部に導出するための切欠部３７が形成されている。この切欠部３７は、第１延在部３５及び筒状部３４の一部を切り欠いて形成されている。切欠部３７は、第１延在部３５の周方向に間隔をあけて４つ設けられている。また、４つの切欠部３７は、それぞれ、各介在部３６と前後方向に対応する位置に設けられている。
【００３６】
組付け突起３２は、中心軸が前後方向に延在形成された円柱状に形成され、その軸方向の一部分が、高音用スピーカ収容部３１の筒状部３４の外周面に固着されている。組付け突起３２は、筒状部３４の外周に等間隔をあけて３つ設けられている。組付け突起３２は、切欠部３７に対して、位置をずらして設けられている。
【００３７】
このような第１ハウジング３０は、図５に示すように、高音用スピーカ収容部３１に高音用スピーカ２０Ａが収容された状態で、高音用スピーカ収容部３１の板状部３３と、高音用スピーカ２０Ａの振動板２２とが対向するように配置されている。この状態で、高音用スピーカ２０Ａから出力された音は、第１貫通孔３０ａを通過して、高音用スピーカ２０Ａの前方側のユーザに案内される。
【００３８】
第２ハウジング４０は、図２、図４にも示すように、軸を中心とした円盤状に形成されている。この第２ハウジング４０には、第１ハウジング３０が設置されるハウジング設置部４１と、ハウジング設置部４１を第３ハウジング５０に組み付けるための組付け突起片４２と、ハウジング設置部４１の周縁に連続されるとともに、軸を中心とした円環状に形成されて、前面にイヤパッド６、背面に第３ハウジング５０が固定される板状の部材固定板４３と、を備えている。
【００３９】
ハウジング設置部４１は、図２に示すように、軸を中心とした円形状の底板４４と、この底板４４の周縁から前方に立設された周板４５と、を備えて構成されている。底板４４は、部材固定板４３よりも後方側に位置している。即ち、底板４４は、部材固定板４３よりも後方側に没する位置に設けられている。また、底板４４は、その径寸法が、第１ハウジング３０の第１延在部３５の外径寸法よりも僅かに大きくなるように形成されている。
【００４０】
底板４４は、図３、図４にも示すように、低音用スピーカ２０Ｂの振動板２２と対向する位置に形成された複数の第２貫通孔４０ａと、複数の第２貫通孔４０ａのそれぞれを覆う複数（図示例では４つ）のブロック体４６と、を有して構成されている。
【００４１】
複数の第２貫通孔４０ａは、図３に示すように、それぞれ、底板４４を貫通形成されている。各第２貫通孔４０ａは、軸を中心とした周方向に間隔をあけて設けられている。また、第２貫通孔４０ａは、第２ハウジング４０に第１ハウジング３０が組み付けられた状態で、切欠部３７と連通する位置に設けられている。
【００４２】
複数のブロック体４６は、図３に示すように、ドーナツ状に配置されるように、軸を中心とした周方向に間隔をあけて配置されている。各ブロック体４６は、底板４４から前方に突出して形成されている。各ブロック体４６の底板４４に対する出寸法は、フレーム２１の支持壁２４の背面（以下、スピーカ２０Ａ、２０Ｂの底面２ａと記す）からフレーム２１の基壁２５までの出寸法よりも大きくなるように形成されている。
【００４３】
各ブロック体４６は、第２貫通孔４０ａを囲うように構成されていて、内周壁４Ａと、内周壁４Ａの周方向の両端に連続されるとともに、底板４４の径方向の外側に向かって延在する一対の側壁４Ｂと、内周壁４Ａ及び一対の側壁４Ｂに連続されて第２貫通孔４０ａの開口と対向する覆い壁４Ｃと、を備え、中空の扇型形状に形成されている。また、各ブロック体４６は、内周壁４Ａに対向する位置に開口部４Ｄを有している。この開口部４Ｄは、第２貫通孔４０ａと連通するように設けられている。
【００４４】
複数のブロック体４６のうち、軸を挟んで対向するブロック体４６の内周壁４Ａ間（覆い壁４Ｃの内周縁間）の寸法は、スピーカ２０Ａ，２０Ｂの支持壁２４の最大の径寸法よりも大きくなるように形成されている。また、複数のブロック体４６のうち、軸を挟んで対向するブロック体４６の覆い壁４Ｃの外周縁間の寸法は、スピーカ２０Ａ，２０Ｂの直径寸法（外径寸法）と略等しくなるように形成されている。
【００４５】
さらに、底板４４には、その背面（後方側の面）から円筒状に立設されて、内部に低音用スピーカ２０Ｂを収容する低音用スピーカ収容部４７が設けられている。この低音用スピーカ収容部４７は、径寸法が、スピーカ２０Ａ、２０Ｂの外径寸法よりも僅かに大きくなるように形成されている。また、低音用スピーカ収容部４７は、低音用スピーカ２０Ｂが低音用スピーカ収容部４７内に収容されると、前述した底板４４の第２貫通孔４０ａが、低音用スピーカ２０Ｂの振動板２２と対向する位置になるように設けられている。
【００４６】
周板４５は、軸方向の寸法が、スピーカ２０Ａ、２０Ｂの底面２ａから基壁２５までの寸法よりも大きくなるように形成されている。この周板４５の前方側の周縁には、部材固定板４３が連続されている。
【００４７】
このようなハウジング設置部４１は、高音用スピーカ２０Ａを収容した第１ハウジング３０が設置された状態で、複数のブロック体４６の中心側（底板４４の軸周り部分）に、スピーカ２０Ａ、２０Ｂのフレーム２１の支持壁２４が収容され、ブロック体４６の覆い壁４Ｃに対向して、フレーム２１の基壁２５が設けられている。
【００４８】
組付け突起片４２は、底板４４の背面から、第３ハウジング５０（後方）に向かって突出して形成されている。
【００４９】
次に、ハウジング１０に、高音用スピーカ２０Ａ及び低音用スピーカ２０Ｂを収容する手順について説明する。まず、低音用スピーカ２０Ｂの振動板２２が前方を向く格好で、低音用スピーカ収容部４７に収容し、この状態で、第２ハウジングを第３ハウジング５０に近付けて、組付け突起片４２を第３ハウジング５０の片受け部（図示しない）に係合する。第２ハウジング４０の部材固定板４３の背面に、第３ハウジング５０が固定される。こうして、第２ハウジング４０を第３ハウジング５０に組み付ける。
【００５０】
次に、高音用スピーカ２０Ａの振動板２２と第１ハウジング３０の板状部３３とが対向するように、高音用スピーカ２０Ａを高音用スピーカ収容部３１に収容し、この状態で、高音用スピーカ収容部３１を、高音用スピーカ２０Ａの底面２ａ側から、第２ハウジング４０のハウジング設置部４１に近付けて、第１ハウジング３０の組付け突起３２を第２ハウジング４０の突起受け部（図示しない）に係合する。こうして、第１ハウジング３０を第２ハウジング４０に組み付ける。即ち、ハウジング１０に高音用スピーカ２０Ａ及び低音用スピーカ２０Ｂが収容される。この際、第２ハウジング４０の第２貫通孔４０ａ、ブロック体４６の開口部４Ｄ、第１ハウジング３０の切欠部３７は、互いに連通して設けられている。
【００５１】
次に、本実施例の作用効果について、図６を参照して説明する。
【００５２】
低音用スピーカ２０Ｂの振動板２２を振動させて、音波を発生させる。低音用スピーカ２０Ｂの振動板２２の中心軸周りから出力された音は、ハウジング設置部４１の底板４４の背面に突き当たり、軸に対して直交する方向の外側に導かれる。このように、低音用スピーカ２０Ｂの振動板２２の中心軸周りから出力された音を、軸に対して直交する方向の外側に導く部分は、請求項中の「第３音導部（符号Ｌ３を記す）」に相当する。本実施例において、第３音導部Ｌ３は、低音用スピーカ２０Ｂの振動板２２と、底板４４との間の空間（開口部）のことである。また、請求項中の「前記第２スピーカ装置から出力される音の少なくとも一部」とは、低音用スピーカ２０Ｂの振動板２２の中心軸周りから出力された音に相当する。
【００５３】
一方、低音用スピーカ２０Ｂの振動板２２の軸から離れた外周部分から出力された音は、低音用スピーカ２０Ｂの振動板２２の軸周りから出力された音と一緒に、第２ハウジング４０の第２貫通孔４０ａ、ブロック体４６の開口部４Ｄ、及び、第１ハウジング３０の切欠部３７を通過する。即ち、低音用スピーカ２０Ｂの振動板２２から出力された全ての音は、ブロック体４６の覆い壁４Ｃの背面に突き当たり、軸に対して直交する方向の外側に導かれる。このように、低音用スピーカ２０Ｂの振動板２２から出力された全ての音を、軸に対して直交する方向に導く部分は、請求項中の「第１音導部（符号Ｌ１を記す）」に相当する。本実施例において、第１音導部Ｌ１は、低音用スピーカ２０Ｂの振動板２２とブロック体４６の覆い壁４Ｃとの間において、ブロック体４６の内周壁４Ａとハウジング設置部４１の周板４５との間の空間（開口部）のことである。この第１音導部Ｌ１は、第１ハウジング３０と第２ハウジング４０が互いに組み付けられることにより形成されるものであるとともに、軸に対して直交する方向の内側の内端（ブロック体４６の内周壁４Ａ）が、振動板２２の外縁よりも内側に位置するように形成され、軸に対して直交する方向の外側の外端（周板４５）が、振動板２２の外縁よりも外側に位置するように形成されている。
【００５４】
さらに、第１音導部Ｌ１を通過した音は、高音用スピーカ収容部３１の筒状部３４と周板４５との間を通過して、外部に導出される。即ち、周板４５に突き当たり、軸に平行な方向に導かれる。このように、第１音導部Ｌ１を通過した音を、軸に平行な方向に導く部分は、請求項中の「第２音導部（符号Ｌ２を記す）」に相当する。また、第３音導部Ｌ３、第１音導部Ｌ１、及び、第２音導部Ｌ２は、全体で請求項中の「音導部」を構成する。本実施例において、第２音導部Ｌ２は、低音用スピーカ２０Ｂの高音用スピーカ収容部３１の筒状部３４と周板４５との間の空間（開口部）のことである。
【００５５】
ここで、本実施例では、第１音導部Ｌ１の音進行方向に垂直な方向における断面積が、第２音導部Ｌ２の音進行方向に垂直な方向における断面積よりも小さくなるように構成されている。これにより、低音用スピーカ２０Ｂから出力される音が、断面積が小さい所から大きい所に導かれることとなり、ホーン効果により、低域の音（低音）を豊かに響かせることができる。
【００５６】
また、第１音導部Ｌ１の音進行方向に垂直な方向における断面積が、第２音導部Ｌ２における音進行方向に垂直な方向の断面積よりも小さくなるように構成されている。これにより、低音用スピーカ２０Ｂから出力される音が、断面積が小さい所から大きい所に導かれることとなり、ホーン効果により、低域の音（低音）を、より一層、豊かに響かせることができる。
【００５７】
このようなヘッドホン１（ヘッドホン装置）には、低音用スピーカ２０Ｂ（第２スピーカ装置）から出力される音を、低音用スピーカ２０Ｂの外径の内側から外側方向へと導く第１音導部Ｌ１が設けられている。従って、低音用スピーカ２０Ｂにより出力される音が、第１音導部Ｌ１を介して、遮られることなくヘッドホン１の使用者に導かれることとなり、低音用スピーカ２０Ｂから出力される音の音圧が損なわれることを抑制しつつ、スピーカ２０Ａ、２０Ｂ（スピーカ装置）の軸に直交する方向の大型化の抑制を図ることができる。
【００５８】
なお、上述した実施例では、音導部は４つ形成されていたが、本発明はこれに限定されるものではない。音導部は１以上形成されていればよく、２以上形成されていることが好ましい。
【００５９】
また、上述した実施例において、第１音導部Ｌ１は、低音用スピーカ２０Ｂが出力する音を、軸に対して直交する方向の外側に導いているが、第１音導部は、低音用スピーカ２０Ｂが出力する音を、低音用スピーカ２０Ｂの外径の内側から外側方向へと、もしくは、軸を中心とした動径方向に導いてもよい。即ち、第１音導部は、低音用スピーカ２０Ｂが出力する音を、前方に向かうに従って、徐々に拡径する方向に傾斜するように導いてもよい。この場合には、ブロック体４６の覆い壁４Ｃが、前方に向かうに従って、徐々に拡径する方向に傾斜する面を有して構成されていてもよい。
【００６０】
図７は、本発明の実施形態に係るヘッドホン装置のハウジングにおける他の変形例を示す断面図である。前述した実施例と同一の構造乃至機能を示す部材には、同一符号を付してその説明を省略する。本実施例では、ヘッドホン装置１０１との相違点のみを説明する。本実施例のヘッドホン装置１と、変形例のヘッドホン装置１０１とは、第２ハウジング１４０の形状が相違する。
【００６１】
第２ハウジング１４０には、４つのブロック体１４６が設けられている。本実施例では、各ブロック体１４６は、各ブロック体１４６は、第２貫通孔４０ａを囲うように構成されていて、内周壁４Ａと、内周壁４Ａの周方向の両端に連続されるとともに、底板４４の径方向の外側に向かって延在する一対の側壁４Ｂと、を備えて、中空の扇型形状に形成されている。即ち、本実施例の第２ハウジング１４０は、前述した実施例の覆い壁４Ｃを有していない。即ち、覆い壁４Ｃは省略してもよい。
【００６２】
これにより、低音用スピーカ２０Ｂの振動板２２から出力された全ての音は、第１音導部Ｌ１において低音用スピーカ２０Ｂの基壁２５の背面に突き当たり、軸に対して直交する方向の外側に導かれる。こうして、第１音導部Ｌ１を通過した音は、第２音導部Ｌ２を通過して、外部に導出される。このように、低音用スピーカ２０Ｂから出力される音を、低音用スピーカ２０Ｂの軸に対して直交する方向の外側に導く第１音導部が設けられていてもよい。
【００６３】
図８は、本発明の実施形態に係るヘッドホン装置のハウジングにおける他の変形例を示す断面図である。前述した実施例と同一の構造乃至機能を示す部材には、同一符号を付してその説明を省略する。本実施例では、ヘッドホン装置２０１との相違点のみを説明する。本実施例のヘッドホン装置１、１０１と、変形例のヘッドホン装置２０１とは、第１ハウジング２３０の形状が相違する。
【００６４】
第１ハウジング２３０は、高音用スピーカ２０Ａを収容する高音用スピーカ収容部２３１と、この高音用スピーカ収容部２３１を第２ハウジング４０に組み付けるための円柱状の組付け突起３２と、を備えて構成されている。高音用スピーカ収容部２３１は、軸を中心とした円板状に形成されているとともに、スピーカ２０Ａ、２０Ｂの各フレーム２１の外径寸法と略同径の板状部３３と、板状部３３の周縁に連続されるとともに円筒状の筒状部３４と、を備えて構成されている。本実施例の第１ハウジング２３０は、前述した実施例の第１延在部３５を有していない。即ち、第１延在部３５は省略してもよい。
【００６５】
このように、第１ハウジング２３０の第１延在部３５を省略することで、第１音導部Ｌ１を、第２ハウジングのみから構成してもよい。
【００６６】
また、ヘッドホン装置としてヘッドホンを実施例の一例として説明したが、本発明はこれに限定されるものではない。ヘッドホン装置として、所謂イヤホン、或いは、補聴器を含み、本明細書では、これらを総称してヘッドホン装置と記す。
【００６７】
当業者は、従来公知の知見に従い、本発明の骨子を逸脱しない範囲で種々改変して実施することができる。かかる改変によってもなお本発明のヘッドホン装置の構成を具備する限り、勿論、本発明の範疇に含まれるものである。
【符号の説明】
【００６８】
１、１０１、２０１    ヘッドホン装置
１０      ハウジング
２０Ａ    低音用スピーカ(第１スピーカ装置）
２０Ｂ    高音用スピーカ（第２スピーカ装置）
２１      フレーム
２２      振動板
２４      支持壁（軸周り部）
２６      基壁（円環状部分）
３０、２３０          第１ハウジング
４０、１４０          第２ハウジング
５０      第３ハウジング
Ｌ１      第１音導部
Ｌ２      第２音導部
Ｌ３      第３音導部
Ｐ        軸
【図１】
2015109581.tif 000003
【図２】
2015109581.tif 000004
【図３】
2015109581.tif 000005
【図４】
2015109581.tif 000006
【図５】
2015109581.tif 000007
【図６】
2015109581.tif 000008
【図７】
2015109581.tif 000009
【図８】
2015109581.tif 000010